(57)【特許請求の範囲】
【請求項１】
所定の機器の作動を制御するための複数のアイコンを表示画面内に表示する表示部と、前記アイコンの選択および実行のための入力を行う入力部とを備える車両用の表示装置であって、
複数の前記アイコンは、複数のカテゴリ毎に集められて１つの表示用エリア内に並ぶように配置されて、前記表示画面内には、任意の前記カテゴリに対応する複数の前記アイコンの少なくとも一部が表示されるようになっており、
前記表示画面内の前記アイコンより上側の領域に、複数の前記カテゴリに対応するショートカットメニューを表示するショートカット表示手段と、
前記ショートカットメニューのうち、いずれかのショートカットメニューが前記入力部によって選択されたときに、選択された前記ショートカットメニューを選択状態表示とする選択状態表示手段と、
前記表示画面に対して前記表示用エリアを移動させるようにアニメーション表示して、選択された前記ショートカットメニューに対応する前記アイコンを前記表示画面内に表示するアニメーション表示手段と、を備え、
複数の前記ショートカットメニューは、前記表示画面内で左右方向に並ぶように配置されており、
複数の前記カテゴリ毎に集められた複数の前記アイコンは、前記表示用エリア内に前記ショートカットメニューの並びと対応するように左右方向に配置されており、
前記アニメーション表示手段は、前記表示用エリアを左右方向に移動させてアニメーション表示することを特徴とする表示装置。
【請求項２】
前記ショートカット表示手段は、使用者による入力操作行為を検知して前記ショートカットメニューを表示することを特徴とする請求項１に記載の表示装置。
【発明の詳細な説明】
【技術分野】
【０００１】
本発明は、例えばカーナビゲーションシステムの情報表示等に用いて好適な表示装置に関するものである。
【背景技術】
【０００２】
従来の表示装置として、例えば、特許文献１に示されるものが知られている。特許文献１における表示装置は、メニュー階層を辿る操作よりも簡略化された操作でユーザに特定のメニューを選択させるショートカット手段と、ショートカット手段によって特定のメニューが選択された場合は、メニュー階層の基本位置から特定のメニューに至るまでの階層経路を、例えばアニメーションによってユーザに提示する提示手段とを備えている。
【０００３】
具体的には、メインメニュー（ＴＶ、Ｖｉｄｅｏ、Ｃａｍｅｒａ、Ｓｅｔｔｉｎｇのアイコン）のうち、例えばＴＶメニューの中のＥＰＧを表示させる時に、ＴＶアイコンの手前に重なるようにＴＶ用のサブメニュー（ＥＰＧ、Ｓｅａｒｃｈ、Ｒｅｋｏｒｄ、Ｂａｃｋアイコン）がアニメーションで出現し、更に、サブメニューの中のＥＰＧアイコンの位置の手前にＥＰＧが重なるように出現し、出現したＥＰＧが画面全体に拡大表示されるようになっている。
【先行技術文献】
【特許文献】
【０００４】
【特許文献１】特開２００８−２７００９号公報
【発明の概要】
【発明が解決しようとする課題】
【０００５】
しかしながら、上記特許文献１の表示装置では、階層経路として、基になるアイコンの手前側に重なるように次の階層のアイコンが出現していくので、先のアイコンが次のアイコンによって大部分が隠れてしまい、視認性が低く、最終的に所望のアイコンの画面に至ったとき、表示された現在の表示内容が全体の階層の中のどの位置にあるのかが把握しにくいものとなっていた。
【０００６】
本発明の目的は、上記問題に鑑み、複数の階層に分かれたアイコンのうち、特定の階層のアイコンを表示させたとき、複数の階層のどこにあるのかが容易に把握できる表示装置を提供することにある。
【課題を解決するための手段】
【０００７】
本発明は上記目的を達成するために、以下の技術的手段を採用する。
【０００８】
請求項１に記載の発明では、所定の機器の作動を制御するための複数のアイコンを表示
画面内に表示する表示部と、アイコンの選択および実行のための入力を行う入力部とを備える車両用の表示装置であって、複数のアイコンは、複数のカテゴリ毎に集められて１つの表示用エリア内に並ぶように配置されて、表示画面内には、任意のカテゴリに対応する複数のアイコンの少なくとも一部が表示されるようになっており、表示画面内のアイコンより上側の領域に、複数のカテゴリに対応するショートカットメニューを表示するショートカット表示手段と、ショートカットメニューのうち、いずれかのショートカットメニューが入力部によって選択されたときに、選択されたショートカットメニューを選択状態表示とする選択状態表示手段と、表示画面に対して表示用エリアを移動させるようにアニメーション表示して、選択されたショートカットメニューに対応するアイコンを表示画面内に表示するアニメーション表示手段と、を備え、複数のショートカットメニューは、表示画面内で左右方向に並ぶように配置されており、複数のカテゴリ毎に集められた複数のアイコンは、表示用エリア内にショートカットメニューの並びと対応するように左右方向に配置されており、アニメーション表示手段は、表示用エリアを左右方向に移動させてアニメーション表示することを特徴としている。
【０００９】
この発明によれば、ショートカット表示手段によって表示されるショートカットメニューのうち、いずれかのショートカットメニューが選択されたとき、選択されたショートカットメニューが、選択状態表示手段によって選択状態にあることが表示される。また、アニメーション表示手段によって、表示画面に対して表示用エリアが移動されるようにアニメーション表示されて、選択されたショートカットメニューに対応するアイコンが表示画面内に表示される。よって、表示画面上において、表示されたアイコンがどの階層に属するものなのかをすぐに把握することができる。
【００１１】
さらに、この発明によれば、ショートカットメニューと、このショートカットメニューに対応する各アイコンの位置関係が対応するように左右方向に配置され、更に、アニメーション表示において表示用エリアが左右方向に移動されるので、表示画面上における各アイコンの階層位置を把握しやすくなる。
【００１２】
請求項２に記載の発明では、ショートカット表示手段は、使用者による入力操作行為を検知してショートカットメニューを表示することを特徴としている。
【００１３】
この発明によれば、ショートカット表示手段は、使用者による操作行為を検知したときに、ショートカットメニューを表示するので、不必要なときに表示画面にショートカットメニューを表示することがなく、表示画面を本来のアイコン操作等のために広く使用することができる。
【図面の簡単な説明】
【００１４】
【図１】ナビゲーションシステムの全体構成を示す概略図である。
【図２】表示画面の一例を示す正面図である。
【図３】表示用エリア内における各種カテゴリ毎のアイコンを示す説明図である。
【図４】入力部を示す平面図である。
【図５】入力部を示す斜視図である。
【図６】制御部が行う全体の制御内容を示すフローチャートである。
【図７】表示画面における表示内容を示す説明図である。
【図８】制御部が行う発明特徴部の制御内容を示すフローチャートである。
【図９】アニメーションの表示内容を示す説明図である。
【発明を実施するための形態】
【００１５】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組み合わせが可能であることを明示している部分同士の組み合わせばかりではなく、特に組み合わせに支障が生じなければ、明示していなくても実施形態同士を部分的に組み合せることも可能である。
【００１６】
（第１実施形態）
本発明の表示装置に係る第１実施形態について図１〜図９を用いて説明する。本実施形態の表示装置は、車両用のナビゲーションシステム（以下、ナビシステム）１００に適用したものである。
【００１７】
ナビシステム１００は、ディスプレイ１１０に、地図、地図上における自車の現在位置、進行方向、更には所望の目的地に対する案内情報等を表示する経路誘導システムであり、図１に示すように、ディスプレイ１１０、入力部１２０、および本体部１３０等を備えている。ディスプレイ１１０、入力部１２０、および本体部１３０は、例えば、通信手段によって互いに接続されている。ナビシステム１００は、上記経路誘導に係る機能に加えて、例えば、オーディオ機能、テレビ機能、および通話機能等を備えている。各機能を発揮するナビシステム１００、オーディオ、テレビ、および通話機等は、本発明の所定の機器に対応する。
【００１８】
ディスプレイ１１０は、複数の情報を表示画面１１１に表示可能とする表示部であり、使用者（以下、運転者）の前方に配置されている。ディスプレイ１１０は、液晶ディスプレイ、有機ＥＬディスプレイ等を用いて構成することができる。ディスプレイ１１０における表示情報は、上記経路誘導に係る地図情報、現在地情報、目的地情報、音声、文字表示による案内情報等のナビ用情報に加えて、ラジオ（ＡＭ−ＦＭ）、デジタル方式のマルチメディア放送（ＤＭＢ）、音楽再生および外部機器接続（ＤＩＳＣ−ＡＵＸ）、ナビゲーション画面設定（ＭＡＰ  ＧＵＩＤＥ）、画面調整およびハンズフリー通話（ＩＮＦＯ−ＰＨＯＮＥ）、コンシェルジュサービス（ＭＯＺＥＮ）等の各種機器用情報となっている。
【００１９】
本実施形態では、ナビ用情報（例えば図７（ａ）の地図情報、現在地情報等）は、表示画面１１１における第一階層（初期画面）の情報として位置づけられている。つまり、ナビシステム１００を作動させたときに、まず、ナビ用情報が表示画面１１１に表示される形となっている。
【００２０】
また、各種機器用情報（ラジオ、マルチメディア放送、音楽再生等）は、本実施形態では第二階層の情報として位置付けられており、各種機器用情報を表示する画面は、例えば、図２に示すようなデザインで形成されている。つまり、表示画面１１１には、複数のアイコン１１３と、複数のショートカットメニュー１１５を備えるショートカットバー１１４とが表示されるようになっている。運転者は、ショートカットメニュー１１５、あるいはアイコン１１３のいずれかを選択し、選択したものをそれぞれ決定（実行）していくことで、所望の各種機器用情報を表示する画面に順次移行させて、必要な情報を見たり、聴いたりする（ナビシステム、オーディオ、テレビ、通話機等所定の機器を作動制御する）ことができるようになっている。
【００２１】
複数のアイコン１１３は、予め定められた各種機能の呼び出しや、プログラムの実行等を行うものであり、図３に示すように、横長と成る１つの表示用エリア１１２内に、上記各種機器用情報（ＤＭＢ、ＤＩＳＣ−ＡＵＸ、ＭＡＰ  ＧＵＩＤＥ、ＩＮＦＯ−ＰＨＯＮＥ、ＭＯＺＥＮ）をカテゴリ（図３中のカテゴリ１〜５・・・）としたときの、カテゴリ毎にグルーピングされて配置されている。そして、これらカテゴリ毎にグルーピングされたアイコン１１３群は、表示用エリア１１２内で左右方向に並べられている。ここで、１つの表示用エリア１１２内には、各カテゴリに属する全てのアイコン１１３が配置されているが、図３中の破線で示すように、表示画面１１１には、例えば最大９つのアイコン１１３が表示可能となっている。表示画面１１１に表示されないアイコン１１３は、後述する入力部１２０の揺動操作によってアイコン１１３を移動させることで、表示画面１１１に表示することが可能となっている。尚、複数のアイコン１１３のうち、いずれかが選択、実行されて、表示画面１１１に表示される情報は、本実施形態では第三階層の情報として位置づけられている。
【００２２】
ショートカットバー１１４は、横長帯状のエリアを形成するものであり、図２に示すように、例えば、表示画面１１１の上側に配置されて、運転者がショートカットバー１１４を必要とする時に表示されるようになっている。ショートカットメニュー１１５は、ショートカット機能を備えるメニュー（項目）であり、ショートカットバー１１４内に、左右方向に１列で並ぶように配置されている。このショートカットメニュー１１５の並び順は、上記表示用エリア１１２における各カテゴリの並び順と対応するようにしており、ここでは、例えば、ＡＭ−ＦＭ、ＤＭＢ、ＤＩＳＣ−ＡＵＸ、ＭＡＰ  ＧＵＩＤＥ、ＩＮＦＯ−ＰＨＯＮＥ、ＭＯＺＥＮの並び順となっている。尚、これらショートカットメニュー１１５の列の中央部には、ナビゲーション機能を用いる場合の、自車の現在地表示画面へショートカットするための「Ｃｕｒｒｅｎｔ−Ｐｏｓｉｔｉｏｎ」のショートカットメニュー１１５が配置されている。
【００２３】
入力部１２０は、運転者の操作により、表示画面１１１におけるいずれかのショートカットメニュー１１５、あるいはアイコン１１３を選択し、選択したショートカットメニュー１１５あるいはアイコン１１３に基づくプログラムを実行するための入力を行うものである。入力部１２０は、例えば、運転席と助手席との間で、運転者の手の届く位置に配置されている。入力部１２０の各部位の車両に対する位置（向き）は、図４、図５中に示す前後方向、左右方向、および上下方向に対応して配置されている。入力部１２０は、マルチスイッチ１２１、レスト部１２２、近接センサ１２３、およびショートカットボタン１２４等を備えている。
【００２４】
マルチスイッチ１２１は、扁平な円筒状のスイッチであり、入力部１２０の中心位置に配置されている。マルチスイッチ１２１は、図４、図５に示すように、回転、揺動、および軸押しの操作による入力が可能となっている。ナビゲーション機能が用いられて表示画面１１１に地図データが表示されているときに、運転者によってマルチスイッチ１２１が回転されると、マルチスイッチ１２１は、地図を拡大縮小するための信号を本体部１３０の制御部１３１に出力するようになっている。また、音楽再生時に（後述する「ＣＤ  Ｔｒａｃｋ」のアイコン１１３が実行されているとき）、運転者によってマルチスイッチ１２１が回転されると、マルチスイッチ１２１は、複数の曲目の中から１つの曲を選択する信号を制御部１３１に出力するようになっている。
【００２５】
また、マルチスイッチ１２１の中心から円周上における８箇所の位置のいずれかの方向に運転者によってマルチスイッチ１２１が揺動されると、マルチスイッチ１２１は、地図を移動させるための信号、あるいは現在選択されているショートカットメニュー１１５あるいはアイコン１１３から隣にある別のショートカットメニュー１１５あるいはアイコン１１３を選択するための信号を制御部１３１に出力するようになっている。更に、運転者によってマルチスイッチ１２１が下側に軸押しされると、マルチスイッチ１２１は、現在選択されているショートカットメニュー１１５あるいはアイコン１１３を決定状態にして、そのショートカットメニュー１１５あるいはアイコン１１３に基づくプログラムを実行するための信号を制御部１３１に出力するようになっている。
【００２６】
レスト部１２２は、運転者が掌を乗せるための板状の部材であり、マルチスイッチ１２１の後ろ側半分となる領域の上側からマルチスイッチ１２１の後方に向けて延びるように形成されている。運転者は、レスト部１２２の上側に掌を乗せ、指をマルチスイッチ１２１側に延ばすことで、マルチスイッチ１２１の操作ができるようになっている。
【００２７】
近接センサ１２３は、レスト部１２２の後方となる上面部に設けられたセンサであり、運転者がレスト部１２２に掌を乗せると、運転者がマルチスイッチ１２１を操作する状態にあると検知して、操作状態の信号を制御部１３１に出力するようになっている。逆に、近接センサ１２３は、運転者がレスト部１２２から掌を離すと、運転者がマルチスイッチ１２１の操作を終えた状態（操作しない状態）にあると検知して、非操作状態の信号を制御部１３１に出力するようになっている。
【００２８】
ショートカットボタン１２４は、運転者がショートカットバー１１４におけるショートカットメニュー１１５のいずれかを選択するためのボタンであり、ショートカットバー１１４に配置されたショートカットメニュー１１５と同じ並び順となるように、入力部１２０の前方に配置されている。ショートカットボタン１２４は、タクトスイッチタイプのボタンとなっており、運転者によっていずれかのショートカットボタン１２４が押されると、押されたボタンの信号を制御部１３１に出力するようになっている。
【００２９】
本体部１３０は、ナビゲーションシステムによる経路誘導機能に加えて、オーディオ機能、テレビ機能、および通話機能等を発揮する際のディスプレイ１１０へ必要とされる情報の表示、および所定の機器の作動を制御する制御部１３１を備えており、入力部１２０から出力される各種信号に基づいて、運転者から要求される情報表示の切り替え、および所定の機器の作動を制御するようになっている。
【００３０】
次に、上記のように構成されるナビシステム１００において、制御部１３１が行う制御の全般について、まず、図６のフローチャート、および図７の表示画面１１１の表示内容を示す図を用いて説明する
運転者によってナビシステム１００が作動状態とされると、制御部１３１は、ステップＳ１００で、表示画面１１１における初期画面表示を行う。ここでは、図７（ａ）に示すように、制御部１３１は、初期画面としてナビゲーション機能における地図データおよび自車の現在地を表示する。
【００３１】
そして、運転者がナビシステム１００を操作するために、掌をレスト部１２２の上に置くと、ステップ１１０で、制御部１３１は、近接センサ１２３から出力される操作状態の信号から入力部１２０が操作状態にあることを検出し、ステップＳ１２０で、図７（ｂ）に示すように、表示画面１１１の地図データ上にショートカットバー１１４と、操作ガイダンス１１６を表示する。操作ガイダンス１１６は、運転者に対する操作の要領を示すものであり、例えば、地図を拡大縮小（ズームアウト、ズームイン）するためのマルチスイッチ１２１の回転方向、あるいは地図を移動させるためのマルチスイッチ１２１の揺動方向等を示すものとなっている。ステップＳ１２０は、本発明のショートカット表示手段に対応する。尚、制御部１３１は、近接センサ１２３から出力される操作状態の信号を、予め定めた所定時間以上検出しない場合は、ショートカットバー１１４と、操作ガイダンス１１６を非表示とする。
【００３２】
ステップＳ１３０で、制御部１３１は、運転者によるマルチスイッチ１２１における入力内容を判定する。制御部１３１は、入力内容がマルチスイッチ１２１の回転であると判定すると、ステップＳ１４０で、回転方向に応じて、地図データを拡大、あるいは縮小して表示する。また、制御部１３１は、入力内容がマルチスイッチ１２１の揺動であると判定すると、ステップＳ１５０で、地図データを揺動された方向に移動させる。更に、制御部１３１は、ステップＳ１６０で、マルチスイッチ１２１における入力内容を判定し、入力内容がマルチスイッチ１２１の回転であると判定すると、ステップＳ１７０で、地図データを拡大、あるいは縮小して表示し、更に、ステップＳ１８０のマルチスイッチ１２１における入力内容判定ステップへ進む。尚、ステップＳ１６０、およびステップＳ１８０で、マルチスイッチ１２１における入力内容が、現在地選択であると判定すると、ステップＳ１２０に戻る。また、ステップＳ１６０、およびステップＳ１８０で、マルチスイッチ１２１における入力内容が、ショートカットメニュー選択であると、ステップＳ１９０に進む。
【００３３】
上記ステップＳ１３０で、制御部１３１は、マルチスイッチ１２１における入力内容が、ショートカットメニュー選択であると判定すると、ステップＳ１９０に進み、表示画面１１１における表示情報を第二階層の情報に切り替える。そして、ステップＳ２００で、制御部１３１は、選択されたショートカットメニュー１１５に対応するカテゴリのアイコン１１３群を表示画面１１１に表示する。例えば、ショートカットバー１１４内におけるＤＩＳＣ−ＡＵＸのショートカットメニュー１１５が選択される、あるいは入力部１２０におけるＤＩＳＣ−ＡＵＸのショートカットボタン１２４が押されると、図７（ｃ）に示すように、地図データ画面が、ＤＩＳＣ−ＡＵＸのカテゴリにグルーピングされたアイコン１１３群が表示される画面に切り替えられる。このとき、ショートカットバー１１４において、選択されたショートカットメニュー１１５（ＤＩＳＣ−ＡＵＸ）が点灯状態とされる。
【００３４】
そして、ステップＳ２１０で、制御部１３１は、マルチスイッチ１２１における入力内容を判定する。制御部１３１は、入力内容が所望のアイコン１１３を選択、決定するためのマルチスイッチ１２１の軸押しであると判定、あるいは、ステップＳ２００でのアイコン１１３の表示後に予め定めた一定時間が経過したと判定すると、ステップＳ２２０で、表示画面１１１における表示情報を第三階層の情報に切り替える。また、ステップＳ２１０で、制御部１３１は、入力内容が「戻る」の場合であると、ステップＳ１２０に戻る。また、ステップＳ２１０で、制御部１３１は、入力内容がマルチスイッチ１２１の揺動であると判定すると、ステップＳ２３０で、図７（ｃ）中の白矢印で示すように、表示画面１１１上で選択状態とされるアイコン１１３の位置を、揺動された方向に対応するアイコン１１３の位置に変更する。そして、ステップＳ２４０で、制御部１３１は、ステップＳ２１０、およびステップＳ２２０に基づくロジックＡを実行する。
【００３５】
ステップＳ２２０の後のステップＳ２５０〜ステップＳ２８０は、ここでは、例えばＤＩＳＣ−ＡＵＸ画面における「ＣＤ  Ｔｒａｃｋ」のアイコン１１３が選択、決定された場合を示している（図７（ｄ））。ステップＳ２５０で、制御部１３１は、「ＣＤ  Ｔｒａｃｋ」のアイコン１１３の内容を示すメニューを表示する。そして、ステップＳ２６０で、制御部１３１は、マルチスイッチ１２１における入力内容を判定する。制御部１３１は、入力内容がマルチスイッチ１２１の回転であると判定すると、ステップＳ２７０で、図７（ｄ）に示すように、回転方向に応じた位置の曲を選択する（選曲する）。また、制御部１３１は、入力内容が軸押しであると判定すると、ステップＳ２８０で、選択された曲を決定し、その曲を再生する。また、制御部１３１は、入力内容が「戻る」の場合であると、ステップＳ１９０に戻る。
【００３６】
そして、制御部１３１は、入力内容が揺動であると判定すると、ステップＳ２９０で、ＤＩＳＣ−ＡＵＸ画面における「ＣＤ  Ｔｒａｃｋ」のアイコン１１３の位置を、揺動された方向に対応するアイコン１１３の位置に変更する。そして、ステップＳ３００で、制御部１３１は、ロジックＡと同一の制御を行う。
【００３７】
本実施形態では、上記ロジックＡのステップＳ２１０において、制御部１３１は、マルチスイッチ１２１における入力内容が、ショートカットメニュー選択であると判定すると、図８に示すフローチャートに基づいて、ショートカットメニュー１１５間の画面表示の変更を行う。
【００３８】
即ち、ステップＳ３１０で、制御部１３１は、新たに選択されたショートカットメニュー１１５が最新の選択状態であることを表示するために、新たに選択されたショートカットメニュー１１５を点灯状態とする。例えば、図９に示すように、今まで「ＤＩＳＣ−ＡＵＸ」のショートカットメニュー１１５が選択（点灯状態）されており、次に「ＩＮＦＯ−ＰＨＯＮＥ」のショートカットメニュー１１５が選択されると、制御部１３１は、「ＩＮＦＯ−ＰＨＯＮＥ」のショートカットメニュー１１５を点灯状態とする。ステップＳ３１０は、本発明の選択状態表示手段に対応する。
【００３９】
そして、ステップＳ３２０で、制御部１３１は、表示画面１１１における表示内容を変更するにあたって、アニメーション１１７の表示を行う。アニメーション１１７というのは、図９に示すように、表示画面１１１に対して、表示用エリア１１２を左右方向に移動させるようにして、表示画面１１１における表示内容を、現在のショートカットメニュー１１５に対応するアイコン１１３群から、次に選択されたショートカットメニュー１１５に対応するアイコン１１３群に変更する際に、表示画面１１１には、各ショートカットメニュー１１５に対応するアイコン１１３群がコマ送りのように左右方向に移動されて順時表示されていくものとなっている。ステップＳ３２０は、本発明のアニメーション表示手段に対応する。
【００４０】
そして、ステップＳ３３０で、制御部１３１は、表示画面１１１においてＤＩＳＣ−ＡＵＸに属するアイコン１１３群が表示されていた画面を、ＩＮＦＯ−ＰＨＯＮＥに属するアイコン１１３群が表示される画面に切り替える。更に、ステップＳ３４０で、制御部１３１は、ステップＳ２１０、およびステップＳ２２０に基づくロジックＡを実行する。
【００４１】
以上のように、本実施形態では、ステップＳ１２０におけるショートカット表示手段によって、ショートカットメニュー１１５が表示される。そして、ショートカットメニュー１１５のうち、いずれかのショートカットメニュー１１５が選択されたとき、選択されたショートカットメニュー１１５が、ステップＳ３１０における選択状態表示手段によって選択状態にあると表示される（点灯状態とされる）。また、ステップＳ３２０におけるアニメーション表示手段によって、表示画面１１１に対して表示用エリア１１２が左右方向に移動されるようにアニメーション１１７の表示が行われ、新たに選択されたショートカットメニュー１１５に対応するアイコン１１３群が表示画面１１１内に表示される。よって、表示画面１１１上において、表示されたアイコン１１３がどの階層に属するものなのかをすぐに把握することができる。
【００４２】
また、ショートカットメニュー１１５と、このショートカットメニュー１１５に対応する各アイコン１１３群の位置関係とが対応するように左右方向に配置され、更に、アニメーション１１７の表示において、表示用エリア１１２が表示画面１１１に対して左右方向に移動されるので、表示画面１１１上における各アイコン１１３の階層位置を把握しやすくなる。
【００４３】
また、ステップＳ１２０におけるショートカット表示手段は、運転者による操作行為を検知したときに、ショートカットメニュー１１５を表示するので、不必要なときに表示画面１１１にショートカットメニュー１１５を表示することがなく、表示画面１１１を本来のアイコン操作等のために広く使用することができる。
【００４４】
（その他の実施形態）
上記第１実施形態では、表示装置は、ナビゲーションシステム１００に適用され、表示部（ディスプレイ１１０）にナビ情報、およびオーディオ、テレビ、通話機等に係る各種機器用情報を表示するものとしたが、これに限らず、例えば、空調装置における作動状態（内外気選択、風量、設定温度、吹出し方向）を表示するものに適用しても良い。
【符号の説明】
【００４５】
１００  車両用表示装置（ナビゲーションシステム）
１１０  ディスプレイ（表示部）
１１１  表示画面
１１２  表示用エリア
１１３  アイコン
１１５  ショートカットメニュー
１１７  アニメーション
１２０  入力部
Ｓ１２０  ショートカット表示手段
Ｓ３１０  選択状態表示手段
Ｓ３２０  アニメーション表示手段
【図１】
0005720549.tif 000002
【図２】
0005720549.tif 000003
【図３】
0005720549.tif 000004
【図４】
0005720549.tif 000005
【図５】
0005720549.tif 000006
【図６】
0005720549.tif 000007
【図７】
0005720549.tif 000008
【図８】
0005720549.tif 000009
【図９】
0005720549.tif 000010